(57)【特許請求の範囲】
【請求項１】
基材層と熱接着性樹脂層を有する積層体からなり周縁部に外方に突出する摘み部を有する蓋材であって、前記摘み部と対向する周縁領域に前記積層体を全層に渡って貫通すると共に一端と他端とを交わることなく繋ぐ線状の湯切り用の複数の切目が形成され、前記摘み部と前記切目が形成された領域間に前記積層体を全層に渡って貫通する破線からなる開口用の切目線が形成された構成からなることを特徴とする湯切り用蓋材。
【請求項２】
前記切目線が前記摘み部と蓋材の中心を結ぶ線と略直交する方向に蓋材の外周縁間を結ぶ直線状ないしは前記切目側に湾曲する曲線状であることを特徴とする請求項１記載の湯切り用蓋材。
【請求項３】
前記切目線が前記摘み部と蓋材の中心を結ぶ線に略対称であり且つ円弧状部が前記摘み部側にくるように形成された半円形状であることを特徴とする請求項１記載の湯切り用蓋材。
【請求項４】
前記切目が前記摘み部と蓋材の中心を結ぶ線と平行方向に形成された平行線状切目であることを特徴とする請求項１〜３のいずれかに記載の湯切り用蓋材。
【請求項５】
前記切目が千鳥状に配列された千鳥状切目であることを特徴とする請求項１〜３のいずれかに記載の湯切り用蓋材。
【発明の詳細な説明】
【０００１】
【発明の属する技術分野】
本発明は、個別包装された生麺、具、調味料等の内容物を収納した容器の口縁部に熱接着して取り付けて使用され、容器の中で生麺等を湯掻いた後に湯切りを行うことができる湯切り孔を備えた蓋材に関する。
【０００２】
【従来の技術】
従来、カップ入り生麺のように容器の中で麺を湯掻いた後に湯切りして使用する容器に関しては、発泡ポリスチレン等からなるプラスチック成形容器に、密封包装された生麺、密封包装された具やソース等を収納し、湯切り孔となる切込が形成されたプラスチック成形蓋を嵌合させて容器の口部を封止し、全体を収縮フィルムを使用して収縮包装した構成のものが使用されているが、上記の構成の容器の場合、プラスチック成形蓋に形成される切込が小さく且つ切込の数が制限されるので湯切りに時間がかかる、プラスチック成形蓋が容器口部に嵌合されているだけであるため湯切りする際に蓋が容器から外れたり蓋と容器の隙間から湯及び麺が漏れ出して火傷するおそれがある等の欠点がある。
【０００３】
【発明が解決しようとする課題】
本発明の目的は、個別包装された生麺等の内容物を収納した容器の口縁部に熱接着して取り付けて使用される蓋材であって、容器に収納されている個別包装された生麺等の内容部を簡単に取り出すことができるとともに、生麺等の内容物を容器に入れて湯掻いた後に簡単な操作で速やかに湯切りすることができる、低コストの湯切り用蓋材を提供することである。
【０００４】
【課題を解決するための手段】
基材層と熱接着性樹脂層を有する積層体からなり周縁部に外方に突出する摘み部を有する蓋材であって、前記摘み部と対向する周縁領域に前記積層体を全層に渡って貫通すると共に一端と他端とを交わることなく繋ぐ線状の湯切り用の複数の切目が形成され、前記摘み部と前記切目が形成された領域間に前記積層体を全層に渡って貫通する破線からなる開口用の切目線が形成された構成とすることにより、個別包装された生麺等の内容物を容器に収納して容器の口縁部に蓋材を熱接着した包装体の蓋材を切目線に沿って切り取って開口を形成させることができるので、形成した開口から容器の内部に収納されている個別包装された生麺等の内容物を取り出し、生麺等を開封して容器に入れて熱湯を注入して湯掻いた後に、蓋材に形成されている湯切り用の切目から簡単な操作により速やかに湯切りすることができる。
【０００５】
上記湯切り用蓋材において、前記切目線が破線からなる構成とすることにより、切目線に沿って蓋材を簡単に切り取ることができる。
【０００６】
上記湯切り用蓋材において、切目線が摘み部と蓋材の中心を結ぶ線と略直交する方向に蓋材の外周縁間を結ぶ直線状ないしは切目側に湾曲する曲線状である構成とすることにより、摘み部を掴んで蓋材を容器から引き剥がし、切目線に沿って引き裂くことにより簡単に大きい開口を形成することができる。
【０００７】
上記湯切り用蓋材において、切目線が摘み部と蓋材の中心を結ぶ線に略対称であり且つ円弧状部が前記摘み部側にくるように形成された半円形状である構成とすることにより、容器の口縁部に取り付けられた蓋材を切目線に沿って切り取ることにより、蓋材を容器から引き剥がすことなく簡単に半円形状の大きい開口を形成することができる。また、湯切りを行った後に摘み部を掴んで容器に接着されて残っている蓋材を簡単に剥離させて取り除くことができる。
【０００８】
上記湯切り用蓋材において、湯切り用の切目を、摘み部と蓋材の中心を結ぶ線と平行方向に配列された平行線状切目、又は千鳥状に配列された千鳥状切目とすることにより、麺等を湯掻いて湯切りする際、平行線状切目ないしは千鳥状切目が麺の重みにより広がるので麺が抜け出ることなく速やかに湯切りができる。
【０００９】
【発明の実施の形態】
以下、図面を引用して本発明の実施の形態を説明する。
図１は本発明の第１実施形態を示す平面図、図２は第１実施形態の蓋材を取り付けた容器に開口を形成した状態を示す平面図、図３は本発明の第２実施形態を示す平面図、図４は本発明の第３実施形態を示す平面図、図５は第３実施形態の蓋材を取り付けた容器に開口を形成した状態を示す平面図、図６は本発明の第４実施形態を示す平面図、図７は本発明の第５実施形態を示す平面図であり、２, 2'は摘み部、３, 3'は曲線状切目線、４, 4'は平行線状切目、５は千鳥状切目、6a，6b, 6c, 7a, 7b, 7cは切目線、８は容器、8aは口縁部、９は熱接着部、10, 10' は開口をそれぞれ表す。
【００１０】
本発明の第１実施形態の蓋材は、図１に示すとおりであり、基材層と熱接着性樹脂層を有する積層体からなり外周縁に外方に突出する摘み部２が形成された円形状の蓋材であって、蓋材の摘み部２が形成された周縁と反対側の周縁領域に湯切り用の複数の平行線状切目４が形成されており、摘み部２と蓋材の中心を結ぶ線と略直交するように蓋材の外周縁間を結ぶ平行線状切目４側に湾曲する曲線状切目線３が形成されている構成である。平行線状切目４は積層体を貫通するように形成され、曲線状切目線３は積層体を貫通する破線状に形成されている。また、第１実施形態では、曲線状切目線３を平行線状切目４側に湾曲する曲線状とされているが直線状の切目線としてもよい。
【００１１】
第１実施形態の蓋材を、個別に包装された生麺、具、調味料等が収納された容器８の口縁部8aに熱接着部９にて取り付けた包装体を、蓋材の摘み部２を掴んで蓋材を容器８の口縁部8aから剥離させて、剥離させた蓋材を曲線状切目線３に沿って切り取り開口10を形成した平面形状は、図２に示すとおりであって、蓋材の湯切り用の平行線状切目４が形成されている部分が熱接着部９にて容器８の口縁部8aに接着された状態で残り、湯切り用の平行線状切目４が形成されている部分を除いて蓋材が容器８から剥離されて切り取られ大きい開口10が形成された状態となる。図２に示す状態で、形成された開口10から容器８に収納されている個別に包装された生麺、具、調味料等を取り出し、生麺及び具を開封して容器８に入れて熱湯を注ぎ湯掻いた後に、容器８を傾けることにより麺の重さにより平行線状切目４が広がり湯が排出しやすくなるので、麺が抜け出ることなく平行線状切目４から速やかに湯切りすることができる。
【００１２】
本発明の第２実施形態の蓋材は、図３に示すとおりであり、湯切り用の切目が複数の曲線切目が千鳥状に配列された千鳥状切目５とされている点で異なる以外は基本的には第１実施形態と同じ構成である。第２実施形態においても、第１実施形態の場合と同様の操作により、麺が抜け出ることなく千鳥状切目５から速やかに湯切りすることができる。
【００１３】
本発明の第３実施形態の蓋材は、図４に示すとおりであり、基材層と熱接着性樹脂層を有する積層体からなり外周縁に外方に突出する摘み部２が形成された円形状の蓋材であって、蓋材の摘み部２が形成された周縁と反対側の周縁部領域に湯切り用の複数の平行線状切目４が形成されており、摘み部２と蓋材の中心を結ぶ線に略対称に、円弧状の切目線6aと直線状の切目線6bからなる半円形状の切目線が円弧状の切目線6aが摘み部２側を向くように形成され、円弧状の切目線5aの摘み部２の近傍に内方に突出する引き裂き開始用のＵ字状の切目線6cが形成されている構成である。切目線6a,6b,6cは積層体を貫通する破線状に形成されている。第３実施形態では切目線6bは直線状とされているが、切目線6bを平行線状切目４側に湾曲する曲線状の切目線としてもよい。
【００１４】
第３実施形態の蓋材を、個別に包装された生麺、具、調味料等が収納された容器８の口縁部8aに熱接着部９にて取り付けられた包装体を、蓋材のＵ字状の切目線6cの内部を指で押して破りその部分をきっかけにして切目線6aおよび切目線6bに沿って蓋材を切り取って開口10' を形成した状態の平面図は、図５に示すとおりであって、蓋材の切目線6bより平行線状切目４の形成されている側および蓋材の摘み部２のある側の周縁部が容器８に熱接着部8aにて接着された状態で残り、摘み部２と平行線状切目４が形成された領域との間の蓋材の中央部に大きい開口10' が形成された状態となる。図５に示す状態で、容器８に収納されている個別に包装された生麺、具、調味料等を取り出し、生麺及び具を開封して容器８に入れて熱湯を注いで湯掻いた後に、容器８を傾けて平行線状切目４から湯切りすることができ、湯切りを行った後に摘み部２を掴んで容器８に接着されて残っている蓋材を簡単に剥離させて取り除くことができる。
【００１５】
本発明の第４実施形態の蓋材は、図６に示すとおりであり、基材層と熱接着性樹脂層を有する積層体からなり、１つの角部に外方に突出する摘み部2'が形成された４角形状の蓋材であって、蓋材の摘み部2'が形成された角部と反対側の角部周縁領域に湯切り用の平行線状切目4'が形成され、摘み部2'に隣接する２箇所の角部近傍の外周縁間を結ぶ平行線状切目4'側に湾曲した曲線状切目線3'が形成されている構成である。第４実施形態の蓋材は、４角形状を容器に取り付ける蓋材であり４角形状とされている点で異なる以外は基本的には第１実施形態の蓋材と同じ構成である。
【００１６】
本発明の第５実施形態の蓋材は、図７に示すとおりであり、開口を形成するための切目線の形状が異なる以外は基本的には第４実施形態と同じ構成である。第５実施形態の開口を形成するための切目線は、蓋材の摘み部2'と平行線状切目4'が形成された領域間の蓋材の中央部に、切目線7aと切目線7bからなる角丸の３角形状であり切目線7a間の角部に内方を向くＵ字状の切目線7cが形成されている構成である。第５実施形態の蓋材を、切目線7cの箇所を突き破り切目線7aと切目線7bに沿って引き裂いて開封することにより、蓋材の摘み部2'に隣接する領域に大きい３角形状の開口を形成することができ、且つ湯切りを完了した後に摘み部2'を掴んで３角形状の開口が形成された蓋材を簡単に剥離することができる。
【００１７】
第３〜第５実施形態において、湯切り用の切目を平行線状切目４としているが第２実施形態のように千鳥状切目５としてもよく切目の形状は任意である。平行線状切目4, 4' は長さを２５〜３５ｍｍとし間隔を５〜２０ｍｍとするのが好ましい。上記の形状とすることにより、湯切りの際に麺が抜け出ることがなく且つ速やかに湯切りすることができる。第２実施形態のように湯切り用の切目を千鳥状切目５とする場合は長さを１５〜３０ｍｍとし間隔を５〜１５ｍｍとするのが好ましい。平行線状切目４及び千鳥状切目５は蓋材を容器に熱接着する際の熱接着部にかからないように形成される。また、曲線状切目線3, 3' および切目線6a, 6b, 6a, 6c、切目線7a, 7b, 7cは破線状の切目により形成されるが、破線状の切目部の長さと非切目部の長さの比率を変えることにより引き裂き易さを任意に調節することができる。
【００１８】
本発明の第１〜第５実施形態の蓋材は、個別に包装された生麺，具，調味料等を収納した容器の口縁部に熱接着して取り付けられた後に、熱収縮性フィルムを使用して収縮包装した状態で製品化される用途に使用するものであり、蓋材に貫通する切目ないしは切目線が形成されていても内容物に影響することはない。また、本発明の蓋材は、基材層と熱接着性樹脂層を有する積層体を作製し、その積層体に貫通する切目ないしは破線状の切目線を形成した後、所定形状に打ち抜くことにより製造できるので、製造工程を簡略化することが可能となりコストダウンを図ることができるものである。
【００１９】
積層体の基材層としては、２軸延伸ポリエチレンテレフタレート（ＰＥＴ）、紙、アルミニウム箔（ＡＬ）等が使用できる。熱接着性樹脂層としては、容器に熱接着できる樹脂であれば特に制限はなく、発泡ポリスチレン容器の蓋材とする場合には変成エチレン−酢酸ビニル共重合体樹脂が使用され、紙容器の蓋材とする場合にはエチレン−酢酸ビニル共重合体、ポリエチレン等が使用できる。積層体の構成としては、紙／ＰＥＴ／熱接着性樹脂層、紙／ＡＬ／熱接着性樹脂層、ＰＥＴ／紙／ＰＥＴ／熱接着性樹脂層、ＰＥＴ／紙／ＡＬ／熱接着性樹脂層等である。積層方法としてはポリエチレン等を使用した押出ラミネーション又はウレタン系接着剤を使用したドライラミネーションが使用できる。
【００２０】
【発明の効果】
基材層と熱接着性樹脂層を有する積層体からなり周縁部に外方に突出する摘み部を有する蓋材であって、前記摘み部と対向する周縁領域に湯切り用の複数の切目が形成され、前記摘み部と前記切目が形成された領域間に開口用の切目線が形成された構成とすることにより、個別包装された生麺等の内容物を容器に収納して容器の口縁部に蓋材を熱接着した包装体を、摘み部を掴んで蓋材を容器から剥離させて蓋材の容器から剥離した部分を切目線に沿って切り取って開口を形成させることができるので、形成した開口から内部に収納されている個別包装された生麺等の内容物を取り出し、生麺等を開封して再度容器に入れて熱湯を注入して湯掻いた後に、蓋材に形成されている湯切り用の切目から簡単に湯切りを行うことができる。
【００２１】
上記湯切り用蓋材において、切目線が摘み部と蓋材の中心を結ぶ線と略直交する方向に蓋材の外周縁間を結ぶ直線状ないしは切目側に湾曲する曲線状である構成とすることにより、摘み部を掴んで蓋材を容器から引き剥がし、切目線に沿って引き裂くことにより簡単に大きい開口を形成することができる。
【００２２】
上記湯切り用蓋材において、切目線が摘み部と蓋材の中心を結ぶ線に略対称であり且つ円弧状部が前記摘み部側にくるように形成された半円形状である構成とすることにより、容器の口縁部に取り付けられた蓋材を切目線に沿って切り取ることにより、蓋材を容器から引き剥がすことなく簡単に半円形状の大きい開口を形成することができる。また、湯切りを行った後に摘み部を掴んで容器に接着されて残っている蓋材を簡単に剥離させて取り除くことができる。
【００２３】
上記湯切り用蓋材において、切目線が積層体を貫通する破線からなる構成とすることにより、切目線に沿って蓋材を簡単に切り取ることができる。
【００２４】
上記湯切り用蓋材において、湯切り用の切目を、摘み部と蓋材の中心を結ぶ線と平行方向に配列された平行線状切目、又は千鳥状に配列された千鳥状切目とすることにより、麺等を湯掻いて湯切りする際、平行線状切目ないしは千鳥状切目が麺の重みにより広がるので麺が抜け出ることなく速やかに湯切りができる。
【図面の簡単な説明】
【図１】本発明の第１実施形態を示す平面図。
【図２】第１実施形態の蓋材を取り付けた容器に開口を形成した状態を示す平面図。
【図３】本発明の第２実施形態を示す平面図。
【図４】本発明の第３実施形態を示す平面図。
【図５】第３実施形態の蓋材を取り付けた容器に開口を形成した状態を示す平面図。
【図６】本発明の第４実施形態を示す平面図。
【図７】本発明の第５実施形態を示す平面図。
【符号の説明】
２, 2'  摘み部
３, 3'  曲線状切目線
４, 4'  平行線状切目
５  千鳥状切目
6a，6b, 6c, 7a, 7b, 7c  切目線
８  容器
8a  口縁部
９  熱接着部
10, 10'   開口
【図１】
0004930743.tif 000002
【図２】
0004930743.tif 000003
【図３】
0004930743.tif 000004
【図４】
0004930743.tif 000005
【図５】
0004930743.tif 000006
【図６】
0004930743.tif 000007
【図７】
0004930743.tif 000008